(57)【特許請求の範囲】
【請求項１】
息吹掛けで回す風力回転コマ１用の回転補助具６において、その回転補助具６で回転させた風力回転コマ１を回転している状態でテーブル面等へ移動させる事が出来、さらにそのテーブル面上でも回り続ける事を可能とする為に、その回転補助具６として、上端部がフラットな円柱状や多角形状の棒状物８を使用し、そのフラットな面に風力回転コマ１の回転軸３の径よりひとまわり大きい径の円形状の挿入穴７を垂直状に穿ち、さらにその挿入穴７の深さとして、回転軸３をその挿入穴７に挿入した時に回転体２の傾き角度αが１５度以下に保持可能な深さに設け、且つその挿入穴７を設けた棒状物８を板状物９の上面部に装着する事を特徴とした風力回転コマ用の回転補助具。
【発明の詳細な説明】
【技術分野】
【０００１】  本発明は、息を吹き掛け回す風力回転コマにおいて、その風力回転コマをスムーズに回転させるための補助具に関するものである。
【背景技術】
【０００２】  日本には子供から大人まで親しまれているコマ（独楽）が古くからある。そのコマを回す方法としては手や紐類などが一般的であるが、最近では特許文献１や特許文献２の様な、息吹きかけ等の風の力を利用し回転させるものも提案されている。その際、その回転を補助する用具として特許文献２では保持フレームやスタンドなどが提案されている。本発明は、それらの補助具よりもさらに使い易い簡便な補助具の提供を目的としたものである。
【先行技術文献】
【特許文献】
【０００３】
【特許文献１】実用新案登録第３１０２０８５号
【特許文献２】特願２００９−１２２５２７
【発明の概要】
【発明が解決しようとする課題】
【０００４】  静止している風力回転コマに息を吹き掛けただけではなかなかスムーズには回り始めない。そうした場合、回転補助具、例えば特許文献２で提案されている保持フレームやスタンドなどを使うとスムーズに回す事が出来る。しかし、保持フレームの場合、構造はシンプルで使い易いが、その保持フレームに風力回転コマの心棒をセットする時に、或いはセットして息を吹き掛ける時に、保持がうまくいかずにスムーズに回転しない時がある。【０００５】  また、スタンドの方は、安定的に保持されるので息吹き掛けでスムーズに回転するが、その回転中のコマをスタンドからテーブル等の面へ移動させるにはやはり慣れが必要であるとか、コマの心棒の長さが違った場合等にはスタンドにセット出来なかったり、テーブル等への移動がスムーズに出来ない場合がある等の問題点がある。【０００６】  そこで本発明では、現在提案されている方法よりも息吹き掛けでよりスムーズにコマが回転を始め、更にその回転中のコマのテーブル等への移動も容易に行う事の出来る回転補助具の提供を目的とした。
【課題を解決するための手段】
【０００７】  本発明は上記課題を、息吹掛けで回す風力回転コマ１用の回転補助具６において、その回転補助具６として、上端部がフラットな円柱状や多角形状の棒状物８を使用し、そのフラットな面に風力回転コマ１の回転軸３の径よりひとまわり大きい径の円形状の挿入穴７を垂直状に穿ち、さらにその挿入穴７の深さとして、回転軸３をその挿入穴７に挿入した時に回転体２の傾き角度αが１５度以下に保持可能な深さに設け、且つその挿入穴７を設けた棒状物８を板状物９の上面部に装着する方法により解決した。
【発明の効果】
【０００８】  上記課題を解決する為に、穴の大きさや深さを工夫した挿入穴を設けた結果、特許文献２等で提案されている保持フレームやスタンド等よりもスムーズに回し始める事が出来、回転自体もしっかりとし、且つその回転中のコマをテーブル等の面へ移動する事も容易に行う事が出来る簡便な回転補助具が得られた。【０００９】  この回転補助具は、大変シンプルな構造であるので制作コストが安価な上に、取り扱いも簡明で大変使い易いというメリットもある。また、テーブル等への移動も、軽く上方へポンと放り出す感じで出来るし、その時コマの回転はしっかり維持されるので、他のコマにぶつけて遊ぶけんかコマ遊び等も楽しく行う事が出来る。
【図面の簡単な説明】
【００１０】
【図１】棒状物の端部フラット面に挿入穴を設けた本発明の回転補助具等の斜視図。
【図２】同上回転補助具へ風力回転コマをセットした状態の正面図。
【図３】本発明回転補助具へ風力回転コマをセット時の回転体の傾き角度αの図。
【発明を実施するための形態】
【００１１】  特許文献２で提案されているもの等よりも使い易い回転補助具について検討した結果、風力回転コマ１の回転軸３が挿入できる挿入穴７を設け、そこに回転軸３を挿入保持し回転させるという簡便な方法により目的を達成するに至った。即ち、棒状物８に、回転軸３を挿入する為の穴を挿入穴７として設け、その挿入穴７に回転軸３を挿入保持させ、その上方から息を吹き掛け回転させる方法である。
【００１２】  挿入穴７は、そこに回転軸３を挿入し回すので、その回転がスムーズに出来る大きさや深さの挿入用の穴を設ける必要がある。大きさとしては、回転軸３より小さいとか同じ位では、回転軸３を挿入出来ないとか、挿入出来ても軸と穴の面とが擦れ合って回らないというトラブルがある為、両者の間には遊び（隙間）が必要である。しかし、その遊びが大き過ぎると回転軸がぶれて回転が不安定となり好ましくない。したがって、小さくはないが大き過ぎでもない事、即ちひとまわり大きいものである事が肝要である。
【００１３】  また、挿入穴７の深さも肝要で、回転軸３の長さより少し浅くし、回転体２の下部面とそれと対面する挿入穴７の面との間に隙間が出来る位の深さが好ましい。しかし、挿入穴７の深さが浅過ぎると回転軸３の挿入が不十分となり、回転体２が浮き上がり傾いてしまい、息を吹き掛けた時にバランスを崩したりぶれたりしスムーズに回転しない。
【００１４】  したがって、スムーズな回転の為の挿入穴７の深さについて種々検討の結果、挿入穴７を垂直状に保持し回転軸３をそこに挿入した時に回転体２が水平状から１５度より大きく傾かない深さ、即ち回転軸３を挿入穴７に挿入時の回転体２の水平状からの傾き角度α（図３で、棒状物８の上端面と回転体２の下部面とが成す角度α）が１５度以下に保持可能な深さであれば目的を達成する事が出来た。なお、傾き角度αは、挿入穴７の深さが浅いと大きくなり、深いと小さくなる。
【００１５】  挿入穴７の深さが回転軸３の長さより深い場合には、回転軸３はすっぽりと挿入穴７の中に納まり、回転体２の下部面と挿入穴７の面とが接し擦れ合いスムーズに回転しない時があるが、この場合には、その擦れ合う面をペーパー等で綺麗に仕上げたり或いは塗装したり、平滑なシート状物を貼ったり、滑り改善用のスプレー類等を吹き付けたりなどすれば、スムーズな回転が得られるので、深くて擦れ合っても回転には特に支障はない。
以下、実施例にもとづき本発明について更に説明する。
【実施例１】
【００１６】  本実施例は、回転軸３用の挿入穴７を棒状物８の上端部のフラットな面に設けた実施例で、図１と図２にその実施例図を示す。図１は回転補助具６に風力回転コマ１をセットする前の斜視図を、図２はセット後の正面図を示す。なお、本実施例で使用の風力回転コマ１としては、図１や図２に示す様に、円板状の回転体２の下面中央部に先端部を丸状に形成の円柱状の回転軸３を垂直状に設け、上面部に４枚の羽根４と心棒５とを設けたものを使用した。但し、本発明の回転補助具で使用可能なコマは本実施例のコマに限定されるものではない。【００１７】  回転補助具６は、図１に示す様に、棒状物８を垂直状にし、その上端部のフラットな面に円形状の挿入穴７を垂直状に穿ち設け、それを板状物９の上面部に装着し形成した。挿入穴７は、その大きさ（径）を回転軸３の直径よりひとまわり大きくした。また、深さは回転軸３の長さより少し浅くした。なお、棒状物８や板状物９には木を使用したが、材料としてはコマの回転等に支障を生じない剛性を有する複合材類等も使用する事が出来る。【００１８】  こうして形成の回転補助具６の挿入穴７へ、風力回転コマ１の回転軸３を、図１の矢印の様に上方から挿入し、図２に示す様にセットする。挿入穴７は回転軸３よりひとまわり大きく形成しているので、挿入穴７と回転軸３との間には適度な隙間の遊びが出来た状態で納まる。ひとまわり大きい径の例としては、例えば、回転軸３の径が４．０ｍｍの場合には、挿入穴７は径が４．２〜４．４ｍｍ程度のもの、即ち０．２〜０．４ｍｍ程度大きい穴にしておけば回転も移動も大変スムーズに行う事が出来る。【００１９】  また、挿入穴７の深さは、回転軸３の長さより少し浅くしているので、棒状物８の上端部のフラットな面と回転体２の下面部との間は密着状態ではなく少し浮いた状態でほぼ水平状に納まる。この様に少し浮いた状態にセット出来れば、棒状物８の上端部と回転体２の下面部とが擦れ合う事もなく、また回転軸３は挿入穴７に十分挿入されるので傾き角度αも極めて小さく、大変スムーズな回転が得られる。【００２０】  この様にセットされた状態の風力回転コマ１に、図２に示す様に、上方矢印方向から息を吹き掛けると風力回転コマ１はスムーズに回り、息を吹き掛け続けると回り続ける。このまま、この回転補助具６に保持し回し続けても良いが、他の回転面上へ、例えばテーブル面等へ、回転している状態で移動させる事も出来る。勿論、移動先の回転面上でも回り続ける。【００２１】  例えば、図２に示す様に、風力回転コマ１がセットされた状態の回転補助具６を手で持ち、その風力回転コマ１を回転させ、その回転中の風力回転コマ１を垂直状に放り出す要領で上方へ投げ上げると、風力回転コマ１は回転補助具６から飛び出しテーブル面等へ落下移動する。この投げ上げは、軽く上方へポンと放り出す要領で行う。勿論、移動後もテーブル面上等で回り続ける。回転が弱くなったら、また息を吹き掛けると元気に回り続ける。移動後も回り続けるので、放り出す時に他のコマにぶつける事も出来、けんかコマとしての遊び等も楽しむ事も出来る。【００２２】  以上の様に、回転軸３用の挿入穴７を設けただけのシンプルな構造の回転補助具６であるが、大変容��に回す事が出来、しかもその回転はスムーズで安定しており、その上テーブル面等への移動も容易に行う事が出来、大変使い易い。【００２３】  本実施例の回転補助具６では、挿入穴７を設けた棒状物８は板状物９の上面部に装着した形状としたが、この様な形は棒状物８のみよりも見栄えが良いし、また手で持った時に持ち易く、使用しない時の保管や紛失防止、さらには幼児や子供が誤って口に入れたりする事の防止にも有効である。なお、棒状物８としては円柱状のものを使用したが、多角形であっても支障ない。
【符号の説明】
【００２４】１、風力回転コマ
２、回転体
３、回転軸
４、羽根
５、心棒
６、回転補助具
７、挿入穴
８、棒状物
９、板状物
α、傾き角度
【図１】
0005502690.tif 000002
【図２】
0005502690.tif 000003
【図３】
0005502690.tif 000004